(57)【特許請求の範囲】
【請求項１】
運搬車の荷台上に搭載可能とした平面形状が長方形状で、上面に車輪走行面を形成した台枠フレーム体と、
平面形状が長方形状とした立方骨組構造の収納フレーム体に、少くとも、短辺側及び長辺側に籾殻を放出する開閉可能な開口を有する籾殻収納袋を装着し、台枠フレーム体の車輪走行面上で荷台の前後方向又は左右何れかの方向に移動可能に搭載する籾殻収納容器と、
この籾殻収納容器の底部に固定し、台枠フレーム体に対応させて平面形状が長方形状で、前後両側の短辺枠部又は左右両側の長辺枠部の何れかに、前記台枠フレーム体上を移動する中央車輪、前車輪、後車輪を適当間隔をあけてそれぞれ脱着可能に軸支する車輪支持フレームと、
台枠フレーム体の前側の短辺枠部中央又は左右いずれか一側の長辺枠部中央と、籾殻収納容器間に係脱可能に連結し、前記中央車輪を支点として傾倒する籾殻収納容器の適宜傾倒角度を調整する傾き調整手段と、
台枠フレーム体の後側の短辺枠部両端又は左右いずれか一側の長辺枠部両端に脱着可能に取り付け、前記籾殻収納容器を傾倒して籾殻放出姿勢としたとき中央車輪の外脱を防止する車輪規制手段と、
を備えてなり、籾殻の後方排出時は、中央車輪、前車輪、後車輪を車輪支持フレームの左右両側の長辺枠部に取り付け、傾き調整手段を台枠フレーム体の前側の短辺枠部中央と籾殻収納容器間に連結し、車輪規制手段を台枠フレーム体の後側の短辺枠部両端に取り付ける一方、籾殻の側方排出時は、中央車輪、前車輪、後車輪を車輪支持フレームの前後両側の短辺枠部に付け替え、傾き調整手段を台枠フレーム体の左右いずれか一側の長辺枠部中央と籾殻収納容器間に連結し替え、車輪規制手段を台枠フレーム体の左右いずれか一側の長辺枠部両端に付け替えることにより、運搬車の荷台後方又は左右何れかの側方から籾殻が放出されるようにしたことを特徴とする籾殻運搬排出装置。
【発明の詳細な説明】
【０００１】
【発明の属する技術分野】
本発明は、籾殻運搬排出装置に関する技術分野に属する。
【０００２】
【従来の技術】
従来、この種の籾殻運搬排出装置としては、組立て式の枠組みフレームに布製の籾殻収納袋を装着し、これを運搬車の荷台上に搭載し、収納袋の左右側面及び後側面に設けた開閉ファスナーを開いて任意の面又は３方向より籾殻を排出するものがある。このような装置は構造が簡便ではあるが、側面又は後面を開いただけでは全部の籾殻を放出することができず、荷台面上に残った籾殻を人手により排出する必要があり、効率が悪いという不都合がある。
【０００３】
他の装置として、従来、運搬車の荷台に搭載可能とした方形の台枠フレームの後辺に、布製の籾殻収納容器の後辺下部を軸支し、台枠フレームの前部と収納容器との間に、運搬車の排ガスを利用したエアダンプ方式によって収納容器の前方を持ち上げ、収納容器の後側面を開いて収容籾殻を排出するようにした装置がある。しかし、この装置は、籾殻収納容器をダンプするのに自動車エンジンの排ガスを利用しているため、低コストであることは認められるが、収納容器を傾倒させるまでに多くの時間を要するなど作業性が悪い。
【０００４】
このような問題を解決する手段として、本件出願人は、運搬車の荷台上に平面形状が方形状で、両側をガイドレールとした台枠フレーム体を搭載し、その台枠フレーム体上に、立方骨組構造の収納フレーム体に籾殻収納袋を装着して形成した籾殻収納容器を乗載し、この籾殻収納容器の底部側縁にガイドレール上を走行する複数の車輪を設ける構成とした籾殻運搬排出装置を提案している。
【０００５】
そして、籾殻の後方排出時は、籾殻収納容器を手動により車輪を介して荷台上で後方に移動し、台枠フレーム体に対し後向きに傾倒して籾殻を籾殻収納袋の開口から排出する。一方、必要に応じ、荷台の側方から籾殻を排出する使用の仕方をする場合は、ガイドレールが荷台の幅方向左右に向いた別の台枠フレーム体を用い、その台枠フレーム体上に、車輪の向きもこのガイドレール方向に対応する側に備えた別の籾殻収納容器を乗載して籾殻運搬排出装置を形成し、この籾殻運搬排出装置を荷台上に搭載する。そして、側方排出時は、籾殻収納容器を車輪を介して荷台上で横に移動し、台枠フレーム体に対し横向きに傾倒して籾殻を排出している。
【０００６】
【発明が解決しようとする課題】
この従来の籾殻運搬装置では、籾殻の後方排出と側方排出の使用の仕方に対応させるためには、籾殻収納容器と台枠フレーム体を共に籾殻の後方排出用と側方排出用の２種類用意する必要があり、それだけコストが著しく高くなるという課題があった。
【０００７】
本発明の目的は、籾殻の後方排出用と側方排出用に兼用できるようにして低コストの籾殻運搬装置を提供することにある。
【０００８】
【課題を解決するための手段】
上記目的は、この発明の籾殻運搬排出装置において、運搬車の荷台上に搭載可能とした平面形状が長方形状で、上面に車輪走行面を形成した台枠フレーム体と、平面形状が長方形状とした立方骨組構造の収納フレーム体に、少くとも、短辺側及び長辺側に籾殻を放出する開閉可能な開口を有する籾殻収納袋を装着し、台枠フレーム体の車輪走行面上で荷台の前後方向又は左右何れかの方向に移動可能に搭載する籾殻収納容器と、この籾殻収納容器の底部に固定し、台枠フレーム体に対応させて平面形状が長方形状で、前後両側の短辺枠部又は左右両側の長辺枠部の何れかに、前記台枠フレーム体上を移動する中央車輪、前車輪、後車輪を適当間隔をあけてそれぞれ脱着可能に軸支する車輪支持フレームと、台枠フレーム体の前側の短辺枠部中央又は左右いずれか一側の長辺枠部中央と、籾殻収納容器間に係脱可能に連結し、前記中央車輪を支点として傾倒する籾殻収納容器の適宜傾倒角度を調整する傾き調整手段と、台枠フレーム体の後側の短辺枠部両端又は左右いずれか一側の長辺枠部両端に脱着可能に取り付け、前記籾殻収納容器を傾倒して籾殻放出姿勢としたとき中央車輪の外脱を防止する車輪規制手段と、を備えてなり、籾殻の後方排出時は、中央車輪、前車輪、後車輪を車輪支持フレームの左右両側の長辺枠部に取り付け、傾き調整手段を台枠フレーム体の前側の短辺枠部中央と籾殻収納容器間に連結し、車輪規制手段を台枠フレーム体の後側の短辺枠部両端に取り付ける一方、籾殻の側方排出時は、中央車輪、前車輪、後車輪を車輪支持フレームの前後両側の短辺枠部に付け替え、傾き調整手段を台枠フレーム体の左右いずれか一側の長辺枠部中央と籾殻収納容器間に連結し替え、車輪規制手段を台枠フレーム体の左右いずれか一側の長辺枠部両端に付け替えることにより、運搬車の荷台後方又は左右何れかの側方から籾殻が放出されるようにしたことにより達成される。
【０００９】
【発明の実施の形態】
以下、図面を参照しつつ、本発明の実施の形態を説明する。
【００１０】
図１および図２は、この発明による籾殻運搬排出装置を荷台に搭載した後方排出時の状態を示す。図中符号１は、運搬車２の荷台３上に搭載保定可能とした平面形状が長方形状の台枠フレーム体である。図中５は容器底板であり、６は容器底板５上に枠組みされた立方骨組構造の収納フレーム体で、その収納フレーム体６に籾殻収納袋１１を着脱可能に装着し、これらにより籾殻収納容器１２が構成されている。
【００１１】
籾殻収納袋１１は、収納フレーム体６の内方に、上部任意個所、この実施の形態では後面上部に開閉可能な籾殻の投入口１３と、後面両側縦方向に開閉可能なファスナー１４を持ち、かつこのファスナー１４の開成により後面が図９で示すように一挙に開成される開口１５を備えている。また、側面縦方向に開閉可能なファスナーを持ち、かつこのファスナーの開成により側面が図１０で示すように一挙に開成される開口１７を備えている。
【００１２】
収納フレーム体６において、図１および図２に示す２０は水平姿勢のサイドフレーム、２１は傾斜姿勢のフレーム、２２はガードフレームである。そして、籾殻収納容器１２は、その容器底板５の底面に、台枠フレーム体１に対応させて平面形状が長方形状の車輪支持フレーム７を固定し、車輪支持フレーム７の左右両側の長辺枠部７ａに、適当間隔をあけて中央車輪８、前車輪９、後車輪１０を付設している。
【００１３】
つまり、車輪支持フレーム７には、左右両側の長辺枠部７ａの下面に、それぞれ中央車輪８、前車輪９、後車輪１０を軸支した断面コ形状の車輪取付ブラケット２６を、それぞれ車輪固定ボルト２７とナット類を用いて脱着可能に取り付けている。各車輪８，９，１０には、それぞれ内面側に脱輪防止用の鍔部８ａ，９ａ，１０ａを設けてなる。
【００１４】
さて、この車輪支持フレーム７には、左右両側の長辺枠部７ａにおける各車輪軸支位置にボルト穴１８を設けるとともに、前後両側の短辺枠部７ｂにも、同じ車輪８，９，１０を軸支するためボルト穴（図示省略）を適当間隔をあけて設けてなる。そして、籾殻の後方排出時か又は側方排出時かに応じ、中央車輪８、前車輪９、後車輪１０の付設位置を、車輪支持フレーム７の長辺枠部７ａとするか或いは短辺枠部７ｂとするか適宜選択できるようにしている。
【００１５】
台枠フレーム体１は、図３に示すように、４本の角パイプを用いて長方形枠状に組み付け、上面全域に車輪が載って移動する車輪走行面Ａを形成してなる。
【００１６】
そして、図示籾殻運搬排出装置では、図１および図２に示すように、台枠フレーム体１の前側の短辺枠部１ａ中央に設けるチェーン固定金具２４と、車輪支持フレーム７の前側の短辺枠部７ｂ中央に付設したチェーンフック２３とを、長さを調整しうるチェーン（傾き調整手段）２５で連結し、たとえば図９で示すように、籾殻収納容器１２が後方に傾倒したときに、その後端が接地するのを防止するとともに、傾斜角度を任意に選択し、籾殻の性状に応じて排出が円滑に行えるように角度を調整するようにしている。
【００１７】
また、図３に示すように、台枠フレーム体１の前側の短辺枠部１ａ中央と、図中手前の右側長辺枠部１ｃ中央に、チェーン固定金具２４の取付用穴２８を設ける。一方、図１および図２では図示省略するが、車輪支持フレーム７の前側の短辺枠部７ａ中央と、右側の長辺枠部７ｂ中央に、チェーンフック２３の取付用穴を設ける。そして、籾殻の後方排出時か又は側方排出時かに応じ、チェーン２５の連結位置を、台枠フレーム体１の前側の短辺枠部１ａ中央と籾殻収納容器１２間とするか、或いは台枠フレーム体１の右側の長辺枠部１ｃ中央と籾殻収納容器１２間とするか適宜選択できるようにしている。
【００１８】
さらに、台枠フレーム体１には、図３中手前の右側の長辺枠部１ｃ両端に、それぞれ保定用のポール４２を立設し、左側の長辺枠部１ｄ前端側にも保定用のポール４１を１本立設し、これらポール４１，４２の上部にロープフック４３を設け、これと運搬車２の荷台３に装備されているフックとの間に、保定用のロープを掛け回して本装置を荷台３上に確固に保定するようになっている。なお、この台枠フレーム体１には、後側の短辺枠部１ｂの左端側に、籾殻の側方排出時に、保定用ポール４１を付け替えるための取付板３０を付設している。
【００１９】
さらにまた、台枠フレーム体１には、後側の短辺枠部１ｂ両端に、車輪規制板（車輪規制手段）４４を脱着可能に備える。車輪規制板４４は、たとえば図４に示すように、短辺枠部１ｂにボルト止めする取付板部４４ａと、その上側に突出させて設けるコ状の規制枠部４４ｂとで形成してなる。一方、車輪支持フレーム７側には、中央車輪８の車輪取付ブラケット２６における内側脚桿２６ａに、排出姿勢時（図９および図１０に示す）において車輪規制板４４に掛け止めされて中央車輪８の外脱を防止する、ストッパ板４５を付設している。ストッパ板４５は、正面形状がＬ形状をなし、その下端の掛止め片４５ａに、浮上り防止フック穴３１を設けてなる。
【００２０】
そして、図３に示すように、台枠フレーム体１には、後側の短辺枠部１ｂ両端に規制板固定用ボルト穴３２を設けるとともに、左側の長辺枠部１ｄ両端にも、規制板固定用ボルト穴３３を設ける。これにより、籾殻の後方排出時か又は側方排出時かに応じ、車輪規制板４４の付設位置を、台枠フレーム体１の後側の短辺枠部１ｂとするか、或いは左側の長辺枠部１ｄとするか適宜選択できるようにしている。
【００２１】
なお、図５には、籾殻収納容器１２を台枠フレーム体１に連脱可能に固定し、台枠フレーム体１に対して籾殻収納容器１２が不用意に移動、詳しくは、運搬車２による籾殻の移送時における脱落事故を防止する固定手段を示している。
【００２２】
車輪支持フレーム７の前縁部一側に、発条５５ａにより常に下方に付勢された操作ストッパ５５を垂設せしめる。一方、図３に示すように、台枠フレーム体１の前側の短辺枠部１ａの右端に、前方に向け上向き傾斜した係止板５６を前記操作ストッパ５５に対向的に設けるとともに、係止板５６に短辺枠部１ａの軸線にそった横長の係止孔５７を形成する。そして、籾殻収納容器１２を排出姿勢から搬送姿勢に戻すときに、図５に示す操作ストッパ５５の下端が、発条５５ａの弾力に抗して係止板５６の傾斜にそって誘導上昇しながら、自動的に係止孔５７に挿嵌し、発条５５ａの作用で操作ストッパ５５の下端がフレームの上面に当接するまで下降し、この作用で籾殻収納容器１２は台枠フレーム体１に連結固定される。
【００２３】
なおまた、台枠フレーム体１には、図３に示す右側の長辺枠部１ｃの後端側に、籾殻の側方排出時に、この係止板５６を、図６に示すように付け替えるための係止板取付穴３５を設けている。
【００２４】
また、台枠フレーム体１には、図３に示すように、前後の短辺枠部１ａ，１ｂと左右の長辺枠部１ｃ，１ｄの中央内側に、コ形状の浮上り防止フック３４を付設し、籾殻の後方排出時は、このフック３４の先端を、図１に示すように中央車輪８の浮上り防止穴３１に係合させ、側方排出時は、図８に示すように中央車輪８の浮上り防止穴３１に係合させて籾殻収納容器１２の荷台３からの浮き上りを防止する。
【００２５】
さて、上述のように構成した籾殻運搬排出装置において、籾殻後方排出の場合は、本装置を、図１および図２に示すように、車輪８〜１０を取り付けた車輪支持フレーム７の長辺枠部７ａが荷台３の左右方向両側に配されるように、運搬車２の荷台３上に搭載する。そして、各ポール４１，４２と荷台３とをロープによって結合する。そうして、投入口１３を開き、これにスロワーなどの供給筒を挿入して籾殻を投入収納した後、運搬車２を籾殻排出現場に運行する。次いで、荷台３の後部側板を開いて荷台３の後方を開放してから、籾殻収納袋１１の両ファスナー１４をスライドして開口すると、多くの籾殻が流動排出される。この時、運搬車２の徐行運転をすると、籾殻は略均等に散布されるし、或は一箇所に堆積状に排出されるが、袋の中の籾殻は安息角まで排出され、残りの籾殻は排出されない。この状態で、籾殻収納容器１２の台枠フレーム体１に対する操作ストッパ５５による連結固定を解除し、籾殻収納容器１２をフリーとした後、各車輪８〜１０を台枠フレーム体１の長辺枠部１ｃ，１ｄ上の車輪走行面Ａを走行させて籾殻収納容器１２を荷台３の後方に引き出す。そして、図９に示すように、中央車輪８のストッパ板４５が規制板４４に掛止するまで引き出すと、籾殻収納容器１２を後下向きに傾倒し、残存せる籾殻を残すことなく排出する。
【００２６】
籾殻が全部排出されたら、手動によって籾殻収納容器１２を水平姿勢に戻し、前方に押動すれば、車輪８〜１０を走行させて台枠フレーム体１の長辺枠部１ｃ，１ｄ上を籾殻収納容器１２が移動し、図１の状態に復旧させる。そして、開口用ファスナー１４を元に戻して開口１５を閉じた後、荷台３の後部側板を復旧起立させることにより籾殻の廃棄作業は終る。
【００２７】
以上は、運搬車２の荷台３の後方に籾殻収納容器１２を傾倒して籾殻を排出する使用例を示したが、この発明による籾殻運搬排出装置は、荷台３の側方に籾殻収納容器１２を傾倒して籾殻を側方に排出することもできる。
【００２８】
籾殻側方排出の場合は、この籾殻運搬排出装置を荷台３上での搭載態様を組み替える。車輪固定ボルト２７とナット類を用い、車輪８〜１０を、車輪取付ブラケット２６を介して車輪支持フレーム７の前後両側の短辺枠部７ｂにおけるボルト穴位置に付け替える。また、図６に示すように、チェーン固定金具２４を台枠フレーム体１右側の長辺枠部１ｃ中央に付け替え、チェーンフック２３を車輪支持フレーム７右側の長辺枠部７ａ中央に付け替えて、チェーン２５の連結位置を、台枠フレーム体１の右側の長辺枠部１ｃ中央と籾殻収納容器１２間に替える。
【００２９】
さらに、車輪規制板４４を、図３に示す台枠フレーム体１左側の規制板固定用ボルト穴３３位置で、図６に示すように長辺枠部両端にボルト止めして付け替える。また、保定用のポール４１は、この側方排出の邪魔にならないように、台枠フレーム体１後側の短辺枠部１ｂの左端側で取付板３０上に付け替える。そして、係止板５６は、台枠フレーム体１右側の長辺枠部１ｃの後端における図３に示した係止板取付穴３５位置に付け替える。
【００３０】
そうして、本装置を、図７および図８に示すように、車輪８〜１０を取り付けた車輪支持フレーム７の短辺枠部７ｂが荷台３の前後方向両側に配されるように、運搬車２の荷台３上に搭載する。
【００３１】
しかる後、荷台３の側部側板を開いて荷台３の側方を開放してから、籾殻収納袋１１の前記側面縦方向のファスナーをスライドして開口し、多くの籾殻を流動排出する。残りの籾殻を排出すときは、同様に、籾殻収納容器１２をフリーとした後、各車輪８〜１０を台枠フレーム体１の短辺枠部１ａ，１ｂ上の車輪走行面Ａを走行させて籾殻収納容器１２を荷台３の左側方へ引き出す。そして、図１０に示すように、ストッパ板４５が車輪規制板４４に掛止するまで引き出すと、籾殻収納容器１２を横下向きに傾倒し、残存せる籾殻を残すことなく排出する。
【００３２】
籾殻が全部排出されたら、手動によって籾殻収納容器１２を水平姿勢に戻し、右側に押動すれば、車輪８〜１０を走行させて台枠フレーム体１の短辺枠部１ａ，１ｂ上を籾殻収納容器１２が移動し、図７の状態に復旧させる。そして、開口用ファスナーを元に戻して開口１７を閉じた後、荷台３の側部側板を復旧起立させることにより籾殻の廃棄作業は終る。
【００３３】
なお、上述した例では、籾殻の側方排出を行う場合は、籾殻収納容器１２を荷台３の左側方に引き出して傾倒できるように構成したが、反対に荷台３の右側方に引き出して傾倒できるように構成しうるのは勿論である。
【００３４】
【発明の効果】
上述した本発明の構成によれば、次のような効果が得られる。
【００３５】
請求項１に記載の発明によれば、籾殻の後方排出時は、中央車輪、前車輪、後車輪を車輪支持フレームの左右両側の長辺枠部に取り付け、傾き調整手段を台枠フレーム体の前側の短辺枠部中央と籾殻収納容器間に連結し、車輪規制手段を台枠フレーム体の後側の短辺枠部両端に取り付ける一方、籾殻の側方排出時は、中央車輪、前車輪、後車輪を車輪支持フレームの前後両側の短辺枠部に付け替え、傾き調整手段を台枠フレーム体の左右いずれか一側の長辺枠部中央と籾殻収納容器間に連結し替え、車輪規制手段を台枠フレーム体の左右いずれか一側の長辺枠部両端に付け替えることにより、運搬車の荷台後方又は左右何れかの側方から籾殻が放出されるように構成するため、籾殻収納容器と台枠フレーム体を、共に籾殻の後方排出用と側方排出用に１種類用意して荷台への搭載態様を替えるだけで、後方排出と側方排出に兼用でき、その結果、それだけ装置のコストを著しく下げることができる。
【図面の簡単な説明】
【図１】  本発明による籾殻運搬排出装置を荷台に搭載した後方排出時の一部切欠側面図である。
【図２】  図１の後面図である。
【図３】  台枠フレーム体の後方排出時における斜視図である。
【図４】  中央車輪の外脱防止機構部分を示す斜視図である。
【図５】  籾殻収納容器と台枠フレーム体とのストッパー手段を示す一部拡大断面図である。
【図６】  台枠フレーム体の側方排出時における斜視図である。
【図７】  籾殻運搬排出装置を荷台に搭載した側方排出時の一部切欠側面図である。
【図８】  図７の後面図である。
【図９】  籾殻収納容器の後方排出作業時における傾倒状態を示す一部切欠側面図である。
【図１０】  籾殻収納容器の側方排出作業時における傾倒状態を示す一部切欠側面図である。
【符号の説明】
１          台枠フレーム体
１ａ，１ｂ  台枠フレーム体の短辺枠部
１ｃ，１ｄ  台枠フレーム体の長辺枠部
２          運搬車
３          荷台
６          収納フレーム体
７          車輪支持フレーム
７ａ        車輪支持フレーム体の長辺枠部
７ｂ        車輪支持フレーム体の短辺枠部
８          中央車輪
９          前車輪
１０        後車輪
１１        籾殻収納袋
１２        籾殻収納容器
２３        チェーンフック
２４        チェーン固定金具
２５        チェーン（傾き調整手段）
４４        車輪規制板（車輪規制手段）
４５        ストッパ板
Ａ          車輪走行面
【図１】
0004255174.tif 000002
【図２】
0004255174.tif 000003
【図３】
0004255174.tif 000004
【図４】
0004255174.tif 000005
【図５】
0004255174.tif 000006
【図６】
0004255174.tif 000007
【図７】
0004255174.tif 000008
【図８】
0004255174.tif 000009
【図９】
0004255174.tif 000010
【図１０】
0004255174.tif 000011